(57)【要約】【課題】組み立てが容易であり、そして簡単な操作によって食品を加熱することができる発熱性食品加熱容器を提供すること。【解決手段】断熱性材料からなる底板と底板の周縁に立設された断熱性材料からなる壁体とからなる容器に、この容器の外部に露出した開封具を持たない水を内包する易引裂性水袋および水との接触により発熱する発熱剤を内包する水浸透性発熱剤袋を収容してなる発熱ユニット、この発熱ユニットの上部に、発熱ユニットに対して繰り返しの着脱が可能なようにはめ合わされた状態にて重ねられた上面に開口を有する食品容器、そして食品容器の開口を着脱可能に塞ぐ蓋体からなる発熱性食品加熱容器。【選択図】図２
2007275339.tif 000002
【特許請求の範囲】
【請求項１】
断熱性材料からなる底板と該底板の周縁に立設された断熱性材料からなる壁体とからなる容器に、水を内包し、該容器の外部に露出した開封具を備えていない易引裂性水袋および水との接触により発熱する発熱剤を内包する水浸透性発熱剤袋を収容してなる発熱ユニット、該発熱ユニットの上部に、発熱ユニットに対して繰り返しの着脱が可能なようにはめ合わされた状態にて重ねられた上面に開口を有する食品容器、そして該食品容器の開口を着脱可能に塞ぐ蓋体からなる発熱性食品加熱容器。
【請求項２】
発熱ユニットの容器の壁体が、発泡樹脂製の外側壁体と水蒸気不透過性内側壁体との二重構造の壁体である請求項１に記載の発熱性食品加熱容器。
【請求項３】
食品容器が底板と該底板の周縁に立設された壁体とからなり、該壁体が発泡樹脂製の外側壁体と水蒸気不透過性内側壁体との二重構造の壁体である請求項２に記載の発熱性食品加熱容器。
【請求項４】
発熱ユニットの容器の外側壁体の上に食品容器の外側壁体が載置され、食品容器の内側壁体が発熱ユニットの内側壁体にはめ合い構造によって繰り返しの着脱が可能なように仮固定されている請求項３に記載の発熱性食品加熱容器。
【請求項５】
発熱ユニットの容器の外側壁体と食品容器の外側壁体が共に１０〜５０ｍｍの範囲の高さを持つ請求項４に記載の発熱性食品加熱容器。
【請求項６】
食品容器に水蒸気の透過を可能にする孔部が設けられている請求項１乃至５のうちのいずれかの項に記載の発熱性食品加熱容器。
【請求項７】
食品容器が中央部から周縁に向かって放射状に伸びる複数本の溝を下面に備えた底板を有する容器である請求項１乃至６のうちのいずれかの項に記載の発熱性食品加熱容器。
【請求項８】
発熱ユニットの容器の底板の上面に凹部が設けられていて、該凹部に発熱剤袋が収容されている請求項１乃至７のうちのいずれかの項に記載の発熱性食品加熱容器。
【請求項９】
発熱ユニットの容器の底板の上面に中央底部と該中央底部に向かって周縁部より下降する傾斜面とが設けられていて、該中央底部に発熱剤袋が収容されている請求項１乃至７のうちのいずれかの項に記載の発熱性食品加熱容器。
【請求項１０】
食品容器がその底板の下面にて発熱ユニットの容器に収容されている発熱剤袋と接触状態にある請求項１乃至９のうちのいずれかの項に記載の発熱性食品加熱容器。
【請求項１１】
発熱剤袋と水袋とが重ねられて積層体を形成していて、食品容器がその底板の下面にて、該積層体と接触状態にある請求項１乃至９のうちのいずれかの項に記載の発熱性食品加熱容器。
【請求項１２】
発熱ユニットの容器の底板の上面あるいは下側に多孔性の断熱シートが備えられている請求項１乃至１１のうちのいずれかの項に記載の発熱性食品加熱容器。
【発明の詳細な説明】
【技術分野】
【０００１】
本発明は、発熱性食品加熱容器に関する。
【背景技術】
【０００２】
従来より、食品（例、ご飯や総菜など）を加熱するための発熱具を備えた発熱性食品加熱容器は知られている。このような発熱性食品加熱容器は、上面が開口している箱体、この箱体の底部に収容されている発熱具、上記の箱体の内部にて発熱具の上方に配置されている食品容器、そして箱体の開口を塞ぐ蓋体などから構成されている。
【０００３】
通常、前記の発熱性食品加熱容器の発熱具としては、水との接触により発熱する発熱剤（例、生石灰）を収容した水不透性の発熱剤袋と、この発熱剤用の水を収容した水袋とが重ねて配置され、これらの袋を切り裂くための紐（開封具）を備えた構成の発熱具が使用されている。この発熱具は、発熱性食品加熱容器の箱体の底部に収容され、そして発熱剤袋と水袋とを切り裂くために用いる紐の一方の端部の側は、箱体に形成された孔から外部に引き出されている。
【０００４】
そして、使用者（食品を食べる者）が、食前に発熱性食品加熱容器の箱体の外部に引き出されて露出している紐（開封具）を引っ張ることにより、箱体の内部で発熱剤袋と水袋との両者が紐によって引き裂かれ、そして発熱剤と水とが互いに接触そして反応することにより発生した熱及び／又は水蒸気によって食品が加熱される。このような構成の発熱具を備えた発熱性食品加熱容器は、例えば、特許文献１に記載されている。
【特許文献１】特開平１１−２９２１５５号公報
【発明の開示】
【発明が解決しようとする課題】
【０００５】
前記の従来の発熱性食品加熱容器を用いることにより、箱体の外部に露出した発熱具の紐（開封具）を引っ張るという簡単な操作によって、食品容器に入れた食品を食前に適度な温度に加熱することができる。しかしながら、従来の発熱性食品加熱容器は、発熱剤袋及び水袋を紐で切り裂く発熱具の構成が複雑であり、また箱体に発熱具の紐を外部に露出させるための孔を形成する必要があり、さらに発熱具を箱体に収容したのちに発熱具の紐を箱体に形成された孔を通して外部に露出させる必要があるため、その組み立てに手間がかかる。従って、従来の発熱性食品加熱容器は、その製造コストの低減に限界がある。
【０００６】
本発明の課題は、組み立てが容易であり、そして簡単な操作によって食品を加熱することができる発熱性食品加熱容器を提供することにある。
【課題を解決するための手段】
【０００７】
本発明は、断熱性材料からなる底板と底板の周縁に立設された断熱性材料からなる壁体とからなる容器に、水を内包し、この容器の外部に露出した開封具を備えていない易引裂性水袋および水との接触により発熱する発熱剤を内包する水浸透性発熱剤袋を収容してなる発熱ユニット、この発熱ユニットの上部に、発熱ユニットに対して繰り返しの着脱が可能なようにはめ合わされた状態にて重ねられた上面に開口を有する食品容器、そして食品容器の開口を着脱可能に塞ぐ蓋体からなる発熱性食品加熱容器にある。
【０００８】
本発明の発熱性食品加熱容器の好ましい態様は、次の通りである。
（１）発熱ユニットの容器の壁体が、発泡樹脂製の外側壁体と水蒸気不透過性内側壁体との二重構造の壁体である。より好ましくは、食品容器が底板と底板の周縁に立設された壁体とからなり、この壁体が発泡樹脂製の外側壁体と水蒸気不透過性内側壁体との二重構造の壁体である。更に好ましくは、発熱ユニットの容器の外側壁体の上に食品容器の外側壁体が載置され、食品容器の内側壁体が発熱ユニットの内側壁体にはめ合い構造によって繰り返しの着脱が可能なように仮固定されている。この発熱ユニットの容器の外側壁体と食品容器の外側壁体は共に１０〜５０ｍｍの範囲の高さを持つことが特に好ましい。
（２）食品容器に水蒸気の透過を可能にする孔部が設けられている。
（３）食品容器が中央部から周縁に向かって放射状に伸びる複数本の溝を下面に備えた底板を有する容器である。
（４）発熱ユニットの容器の底板の上面に凹部が設けられていて、この凹部に発熱剤袋が収容されている。
（５）発熱ユニットの容器の底板の上面に中央底部と中央底部に向かって周縁部より下降する傾斜面とが設けられていて、この中央底部に発熱剤袋が収容されている。
（６）食品容器がその底板の下面にて発熱ユニットの容器に収容されている発熱剤袋と接触状態にある。
（７）発熱剤袋と水袋とが重ねられて積層体を形成していて、食品容器がその底板の下面にて、上記積層体と接触状態にある。
（８）発熱ユニットの容器の底板の上面あるいは下側に多孔性の断熱シートが備えられている。
【発明の効果】
【０００９】
本発明の発熱性食品加熱容器は、発熱ユニットの容器の内部に収容する水袋として、この容器の外部に露出する（即ち外部に引き出された）開封具を備えていない水袋を用いるために、その組み立てが容易である。また、本発明の発熱性食品加熱容器は、発熱ユニットから食品（ご飯や総菜）を入れた食品容器を取り外し、次いで発熱ユニットの容器に収容されている水袋を取り出して、この水袋を引き裂いて容器の内部に水を流し込んで発熱剤を水と接触させて発熱させ、そして食品容器を発熱ユニットの上に重ねて配置して取り付けるという簡単な操作によって、食品容器に入れた食品を加熱することができる。
【００１０】
更に、発熱ユニットの容器の底板の上面に中央底部に向かって周縁部より下降する傾斜面が設けられ、この中央底部に発熱剤袋が収容されていると、使用者が水袋の水を容器の発熱剤が置かれていない場所に流し込んだ場合、あるいは発熱ユニットが置かれたテーブル等が傾いていた場合であっても、この水が前記斜面を流れて発熱剤に確実に接触する。このため、使用者は、特に意識して発熱ユニットの容器の特定の場所に水を流し込む必要がなくなるために、更に簡単な操作によって食品容器に入れた食品を確実に加熱することができるようになる。
【発明を実施するための最良の形態】
【００１１】
図１は、本発明の発熱性食品加熱容器の構成例を示す斜視図であり、図２は、図１の発熱性食品加熱容器１０の分解斜視図であり、そして図３は、図１に記入した切断線III−III線に沿って切断した発熱性食品加熱容器１０の断面図である。
【００１２】
図１〜図３に示す発熱性食品加熱容器１０は、断熱性材料からなる底板１１と底板１１の周縁に立設された断熱性材料からなる壁体１２とからなる容器１５に、水１６を内包し、容器１５の外部に露出した開封具を持たない易引裂性水袋１７および水との接触により発熱する発熱剤１８を内包する水浸透性発熱剤袋１９を収容してなる発熱ユニット２０、発熱ユニット２０の上部に、発熱ユニット２０に対して繰り返しの着脱が可能なようにはめ合わされた状態にて重ねられた上面に開口を有する食品容器３５、そして食品容器３５の開口を着脱可能に塞ぐ蓋体４１から構成されている。
【００１３】
このように、本発明の発熱性食品加熱容器１０は、発熱ユニット２０の容器１５の内部に収容する水袋として、容器１５の外部に露出させる開封具を備えていない水袋１７を用いるため、従来の発熱性食品加熱容器と比較して、容器の外部に露出させる開封具を持つ複雑な構成の発熱具を用いる必要がなく、そして容器に開封具を外部に露出させるための孔を形成し、開封具を箱体の孔を通して外部に露出させる必要がないために、その組み立てが容易である。
【００１４】
発熱性食品加熱容器１０は、使用者（食品を食べる者）が、図４に示すように発熱ユニット２０から食品（例、ご飯や総菜）を入れた食品容器３５を取り外し、次いで容器１５に収容されている水袋１７を取り出して、この水袋１７を引き裂いて容器１５の内部に水１６を流し込み、水浸透性発熱剤袋１９の中に入れられた発熱剤を水と接触させて発熱させ、続いて図５に示すように食品容器３５を発熱ユニット２０の上に重ねて配置して取り付けるという簡単な操作によって、食品容器３５に入れた食品を素早く加熱することができる。
【００１５】
図１〜図３に示す発熱ユニット２０の容器１５の底板１１や壁体１２は、耐熱性材料、例えば、ポリスチレン樹脂、ポリエチレン樹脂あるいはポリプロピレン樹脂に代表される樹脂材料から形成される。耐熱性材料としては、耐熱温度が高いことからポリプロピレン樹脂を用いることが好ましい。
【００１６】
図２及び図３に示すように、発熱ユニット２０の容器１５の壁体１２は、発泡樹脂製の外側壁体１３と水蒸気不透過性内側壁体１４との二重構造の壁体であることが好ましい。このような二重構造の壁体１２を有していると、発熱ユニット２０の上部に、食品容器３５を内側壁体１４の外側にはめ合わせて容易に重ねて配置することができる。これにより使用者による発熱ユニット２０に対する食品容器３５の取り外しや取り付けが容易になる。なお、外側壁体１３を形成する発泡樹脂の樹脂材料の例は、上記の耐熱性材料として用いる樹脂材料の場合と同様である。また、水蒸気不透過性の内側壁体１４は、外側壁体１３の場合と同様の樹脂材料、あるいは、耐水加工の施された厚紙や段ボールシートなどの紙材（例、表面にアルミニウム箔、樹脂フィルムあるいは発泡シートが貼り付けられた紙材）から形成される。
【００１７】
図２及び図３に示すように、発熱ユニット２０の容器１５の底板１１の上面に凹部２１が設けられていて、この凹部２１に発熱剤袋１９が収容されていることが好ましい。凹部２１が形成されていると、使用者が発熱性食品加熱容器１０を持ち運ぶ際の振動による容器１５の内部での発熱剤袋１９の移動が抑制され、発熱剤袋１９が容器１５の所定位置（発熱性食品容器１０の場合には凹部２１が形成されている容器１５のほぼ中央の位置）に安定に配置される。このため、使用者の発熱性食品加熱容器１０の持ち運び方に依らずに食品を均一に加熱することが容易になる。
【００１８】
また、発熱ユニット２０の容器１５の底板１１の上面に中央底部（発熱性加熱容器１０の場合には凹部２１）と中央底部に向かって周縁部より下降する傾斜面２２とが設けられていて、この中央底部に発熱剤袋１９が収容されていることが好ましい。このような傾斜面２２が設けられていると、使用者が水袋１７の水１６を容器１５の発熱剤袋１９が置かれていない場所に流し込んだ場合、あるいは発熱ユニット２０が置かれたテーブル等が傾いていた場合であっても、この水が斜面２２を流れて発熱剤１８に確実に接触する。このため、使用者は発熱ユニット２０の容器１５の特定の場所に水を流し込む必要がなくなるために、更に簡単な操作によって食品容器３５に入れた食品を確実に加熱することができるようになる。
【００１９】
前記のように、発熱ユニット２０の容器１５の内部には、水１６を内包する易引裂性水袋１７および発熱剤１８を内包する水浸透性の発熱剤袋１９が収容される。
【００２０】
易引裂性水袋１７は、例えば、ポリエチレン樹脂フィルム、ポリプロピレン樹脂フィルム、ポリスチレン樹脂フィルム、ポリカーボネート樹脂フィルムもしくはポリ塩化ビニル樹脂フィルムなどの樹脂フィルム、あるいはアルミニウム箔に代表される金属箔などから形成され、通常は一軸延伸された樹脂フィルムから形成される。この水袋１７に切り込み１７ａが形成されていると、使用者による水袋１７の引き裂きが容易になる。なお、「易引裂性」とは、使用者が水袋１７を手で引き裂き可能であることを意味しており、水袋１７に切り込み１７ａが設けられた状態にて引裂き可能であることも含まれる。
【００２１】
発熱剤１８を入れる水浸透性の発熱剤袋１９としては、例えば、不織布に代表される布製の袋が用いられる。また、発熱剤１８としては公知のもの、例えば、生石灰粉末、特に好ましくは生石灰粉末とアルミニウム粉末との混合物などが用いられる。生石灰粉末とアルミニウム粉末との混合物からなる発熱剤は、例えば、特開２００１−２２６６６８号公報に詳細に記載されている。
【００２２】
なお、図３に示すように、発熱ユニット２０の容器１５の底板１１の下側に多孔性の断熱シート（例えば、発泡樹脂シートや段ボールシート）２３ａが備えられてことが好ましい。上記のように発熱ユニット２０の容器１５の底板１１は断熱性材料から形成されている。この底板１１の下側に、更に多孔性断熱シート２３ａを付設することによって、使用者が発熱性食品加熱容器１０の下面を手で触れた際の火傷あるいは不快感の発生を効果的に抑制することができるからである。
【００２３】
図２及び図３に示すように、食品容器３５は、底板３１と底板３１の周縁に立設された壁体３２とからなり、この壁体３２が発泡樹脂製の外側壁体３３と水蒸気不透過性内側壁体３４との二重構造の壁体であることが好ましい。このような二重構造の壁体３２を備えていると、食品容器３５の側面外側方向への熱伝達が抑制されるため、加熱された食品の保温性が良好になる。食品容器３５の外側壁体３３及び内側壁体３４の材料の例は、発熱ユニット２０の容器１５の外側壁体１３及び内側壁体１４の場合と同様である。
【００２４】
食品容器３５には、発熱剤１８の発熱によって発生する水蒸気の透過を可能にする孔部３６が設けられていることが好ましい。これにより、発熱剤１８にて発生した熱により食品容器３５に入れた食品を容器３５の底板３１の下側から加熱すると共に、発熱剤１８の発熱により発生した水蒸気が孔部３６を通って図３に記入した破線の矢印が示すように食品の上方へと流れ込み、この水蒸気によって食品を上方からも加熱することができるようになる。
【００２５】
また、図３に示すように、発熱ユニット２０の容器１５の内側壁体１４の頂部が、食品容器３５の孔部３６の外側近傍の位置まで上方に延長されていると、発熱剤１８の発熱により発生した水蒸気が、食品容器３５の外側壁体３３と発熱ユニット２０の容器１５の外側壁体１３との間から外部に漏れ難くなり、水蒸気の大部分が孔部３６を通って食品の上方に流れるようになるため、食品容器３５に入れた食品を効率良く（短時間で）加熱することができるようになる。
【００２６】
図２及び図３に示すように、食品容器３５は、中央部から周縁に向かって放射状に伸びる複数本の溝３７（図２では溝３７を底板３１の上方から見ているために突起に見える）を下面に備えた底板３１を有する容器であることが好ましい。このような溝３７が形成されていると、発熱剤１８の発熱により生じた水蒸気が、食品容器１５の底板３１の下面を中央部から周縁に向かって円滑に流れるようになる（すなわち水蒸気が底板３１の下面の全体に容易に行き渡るようになる）ため、食品容器３５に入れた食品を均一に加熱することができる。
【００２７】
図３に示すように、食品容器３５は、その底板３１の下面にて発熱ユニット２０の容器１５に収容されている発熱剤袋１９と接触状態にあることが好ましい。上記のように、発熱ユニット２０の容器１５の底板１１の凹部２１により、発熱性食品加熱容器１０を持ち運びした際の振動による容器１５の内部での発熱剤袋１９の移動が抑制されるが、更に食品容器３５の底板３１の下面が発熱剤袋１９に接触していると、使用者が発熱性食品加熱容器１０を粗雑に持ち運んだ場合にも、容器１５の内部での発熱剤袋１９の移動を効果的に抑制できるからである。
【００２８】
図１及び図３に示すように、発熱ユニット２０の容器１５の外側壁体１３の上に食品容器３５の外側壁体３３が載置され、食品容器３５の内側壁体３４が発熱ユニット２０の内側壁体１４にはめ合い構造によって繰り返しの着脱が可能なように仮固定されていることが好ましい。図６は、図３に記入した切断線VI−VI線に沿って切断した発熱ユニット２０の内側壁体１４と食品容器３５の内側壁体３４との仮固定部の断面図である。
【００２９】
図１、図３及び図６に示すように、発熱性食品加熱容器１０の場合には、発熱ユニット２０の容器１５の内側壁体１４の外壁部１４ａの外側表面に複数個の凹部２４が形成されており、そして食品加熱容器３５の内側壁体３４の外壁部３４ａの内側表面に上記凹部２４の各々に対応する凸部３８が形成されている。このような凹部２４と凸部３８とがはめ合わされることにより、食品容器３５の内側壁体３４は発熱ユニット２０の内側壁体１４に繰り返しの着脱が可能なように仮固定される。
【００３０】
なお、食品容器３５を発熱ユニット２０に仮固定したのち（食品の加熱を始めたのち）に両者の仮固定を確実なものとするために、食品容器３５の外側壁体３３と発熱ユニット２０の容器１５の外側壁体１３とを互いに固定する接着テープあるいはＵ字型のピンなどの補助的な固定具を発熱性食品加熱容器１０に付属品として添付することも好ましい。
【００３１】
発熱ユニット２０の容器１５の外側壁体１３と食品容器３５の外側壁体３３は共に１０〜５０ｍｍの範囲の高さを持つことが好ましい。これにより、使用者（食品を食べる者）が発熱ユニット２０の外側壁体１３と食品容器３５の外側壁体３３との各々を手で掴んで両者を着脱する操作が容易になるからである。
【００３２】
図７は、図３に記入した切断線VII−VII線に沿って切断した食品容器３５の内側壁体３４と蓋体４１との仮固定部の断面図である。なお、図７は、蓋体４１の隅部の近傍の部位における断面を示している。
【００３３】
図７に示すように、蓋体４１の隅部の内側面に形成されている凹部には、食品容器３５の内側壁体３４の外壁部３４ａに形成された凸部がはめ合わされ、そして図２に示すように食品容器３５の内側壁体３４の外壁部３４ａの外側表面に形成された細長い凹部３９に蓋体４１の内側に突出する細長い凸部２５がはめ合わされることにより、蓋体４１は、食品容器３５の開口を着脱可能に塞いでいる。
【００３４】
この蓋体４１は、使用者が食品容器３５に入れた食品の内容や状態（例えば、盛り合わせ方）を見ることができるように、透明樹脂（例、ポリエチレン樹脂、ポリプロピレン樹脂あるいはポリスチレン樹脂など）から形成することが好ましい。
【００３５】
図８は、本発明の発熱性食品加熱容器の別の構成例を示す断面図である。図８の発熱性食品加熱容器８０の構成は、発熱剤袋１９と水袋１７とが重ねられて積層体を形成していて、食品容器３５がその底板３１の下面にて上記積層体と接触状態にあること以外は図１の発熱性食品加熱容器１０と同様である。これにより、図１の発熱性食品加熱容器１０の場合と同様に容器１５の内部での発熱剤袋１９の移動が抑制されると共に、使用の際に水袋１７が取り出された状態では発熱剤袋１９と食品容器３５の底板３１との間に水袋１７の厚み分の隙間が形成される。このような隙間が形成されていると、発熱剤袋１９に入れた発熱剤１８が水と接触そして反応してその体積（すなわち発熱剤袋１９の厚み）が増加した場合であっても、この体積の増加によって発熱剤袋１９が食品容器３５の底板３１を上方に押し上げることがなくなるため、加熱の際に食品の盛り合わせ状態が崩れることもない。
【００３６】
なお、図８に示すように、多孔性の断熱シート２３ｂは、発熱ユニット２０の容器１５の底板１１の上面（底板１１と発熱剤袋１９との間）に配置されていてもよい。
【００３７】
このように、本発明の発熱性食品加熱容器は、その組み立てが簡単であるために製造コストが低い。このため、これまでは価格の面から発熱性食品加熱容器を用いることができなかった食品（例えば、低い価格に設定される弁当や総菜など）にも発熱性食品加熱容器を使用できるようになり、より多くの人が手軽に温かい食品を食べることができるようにすることができる。
【図面の簡単な説明】
【００３８】
【図１】本発明の発熱性食品加熱容器の構成例を示す斜視図である。
【図２】図１の発熱性食品加熱容器１０の分解斜視図である。
【図３】図１に記入した切断線III−III線に沿って切断した発熱性食品加熱容器１０の断面図である。
【図４】図１の発熱性食品加熱容器１０の使用方法について説明する図である。
【図５】図１の発熱性食品加熱容器１０の使用方法について説明する別の図である。
【図６】図３に記入した切断線VI−VI線に沿って切断した発熱ユニット２０の内側壁体１４と食品容器３５の内側壁体３４との仮固定部の断面図である。
【図７】図３に記入した切断線VII−VII線に沿って切断した食品容器３５の内側壁体３４と蓋体４１との仮固定部の断面図である。
【図８】本発明の発熱性食品加熱容器の別の構成例を示す断面図である。
【符号の説明】
【００３９】
１０  発熱性食品加熱容器
１１  底板
１２  壁体
１３  外側壁体
１４  内側壁体
１４ａ  外壁部
１４ｂ  内壁部
１５  容器
１６  水
１７  水袋
１７ａ  切り込み
１８  発熱剤
１９  発熱剤袋
２０  発熱ユニット
２１  凹部
２２  傾斜面
２３ａ、２３ｂ  断熱シート
２４  凹部
２５  凸部
３１  底板
３２  壁体
３３  外側壁体
３４  内側壁体
３４ａ  外壁部
３４ｂ  内壁部
３５  食品容器
３６  孔部
３７  溝
３８  凸部
３９  凹部
４１  蓋体
８０  発熱性食品加熱容器
【図１】
2007275339.tif 000003
【図２】
2007275339.tif 000004
【図３】
2007275339.tif 000005
【図４】
2007275339.tif 000006
【図５】
2007275339.tif 000007
【図６】
2007275339.tif 000008
【図７】
2007275339.tif 000009
【図８】
2007275339.tif 000010